(57)【特許請求の範囲】
【請求項１】
車両の床面に設けられるエンジンの点検口を塞ぎ且つ車両前方から前方蓋と後方蓋に分割され更に前方蓋が車両横幅方向に二分されて中央寄り蓋部と側方寄り蓋部とに分割され、車両横幅方向に並んだ中央シートと側方シートのうち中央シートのみを前記中央寄り蓋部に取付けるよう構成したことを特徴とする点検蓋。
【発明の詳細な説明】
【０００１】
【発明の属する技術分野】
本発明は取り外すことが容易な車両床の点検蓋に関するものである。
【０００２】
【従来の技術】
一般に、バス等の車両にはエンジンを点検できるよう車両床に取り外し可能な点検蓋が備えられており、斯かる点検蓋の一例は図４〜図６に示されている。
【０００３】
点検蓋１は、バスの最後尾でエンジンの上方の床面３及び傾斜面４に設けられる点検口５を塞ぐため、車両前方２からそれぞれ板状の前方蓋部６と中央蓋部７並びに後方蓋部８に構成されている。
【０００４】
前方蓋部６は、点検口５の前部を覆うよう床面３にボルト９により締結され、中央蓋部７は、点検口５の中央部を覆うよう前方蓋部６の後側に隣接して床面３にボルト９により締結され、後方蓋部８は、点検口５の後部を覆うよう中央蓋部７の後側に隣接して傾斜面４にボルト９により締結されている。
【０００５】
中央蓋部７及び左右の床面３の上方には、一人用の中央シート１０及び二人用の側方シートである右シート１１及び左シート１２が車両横幅方向に一列に設けられており、中央シート１０は、四本の足部１３を中央蓋部７にボルト１４により締結して固定され、右シート１１は、中央シート側の二本の足部１３を中央蓋部７にボルト１４により締結すると共に反中央シート側の二本の足部１３を右側の床面３にボルト１４により締結して固定され、左シート１２は、四本の足部１３を左側の床面３にボルト１４により締結して固定されている。
【０００６】
エンジンの中で頻繁に点検する必要があるインジェクションポンプ等を点検する場合には、中央蓋部７及び右側の床面３からボルト１４を外して中央シート１０及び右シート１１を取り除き、図５に示すごとくボルト９を外し中央蓋部７を床面３から取り外して頻繁に点検する場所である点検口５の一部を開口し点検者により確認する。又、エンジン全体を点検する場合には、同様に中央シート１０及び右シート１１を取り除いて中央蓋部７を取り外し、更に前方蓋部６及び後方蓋部８を取り外して点検口５の全面を開口し点検者により確認する。ここで、左シート１２は左側の床面３のみに固定されているので点検の際に取り外す必要がない。
【０００７】
【発明が解決しようとする課題】
しかしながら、前述の如く、点検の際には中央シート１０並びに右シート１１を取り外してから点検蓋１を取り外す必要があるため、手間と時間が懸かるという問題があった。
【０００８】
本発明は、斯かる実情に鑑み、頻繁に点検する場所である点検蓋の一部を容易且つ短時間で取り外すことができるものである。
【０００９】
【課題を解決するための手段】
本発明は、車両の床面に設けられるエンジンの点検口を塞ぎ且つ車両前方から前方蓋と後方蓋に分割され更に前方蓋が車両横幅方向に二分されて中央寄り蓋部と側方寄り蓋部とに分割され、車両横幅方向に並んだ中央シートと側方シートのうち中央シートのみを前記中央寄り蓋部に取付けるよう構成したものである。
【００１０】
側方シートを取り除くことなく中央シートを取り付けたまま中央寄り蓋部を持ち上げて引き抜くことができるので、中央寄り蓋部を床面から取り外すことが容易且つ短時間になり、中央寄り蓋部が頻繁に点検する場所の上方に位置している場合には、頻繁に点検する場所の点検作業時間を短縮できる。
【００１１】
【発明の実施の形態】
以下、本発明の実施の形態を図示例と共に説明する。
【００１２】
図１〜図３は発明を実施する形態の一例であって、図中、図４〜図６と同一の符号を付した部分は同一物を表わしており、本図示例の特徴とするところは、図１に示す如く、点検蓋１に設けられた中央寄り蓋部１５に中央シート１０のみが取付けられた点にある。
【００１３】
点検蓋１は、従来例と略等しい点検口５を覆うよう設けられて、車両前方２から板状の前方蓋１６と後方蓋１７とに構成されている。
【００１４】
前方蓋１６は、車両横幅方向に二分されて中央寄り蓋部１５と側方寄り蓋部１８とに分割されており、中央寄り蓋部１５は、四方隅に穿設されたボルト孔１９にボルト９を挿通して、点検口５の中央部及び左側部を覆うよう床面３にボルト締結され、側方寄り蓋部１８は、四方隅に穿設されたボルト孔１９にボルト９を挿通して、点検口５の右側部を覆うよう中央寄り蓋部１５の右側に隣接して床面３にボルト締結されている。
【００１５】
一方、後方蓋部８は、車両後方側部及び車両前方隅に穿設されたボルト孔１９にボルト９を挿通して、点検口５の後部を覆うよう中央寄り蓋部１５及び側方寄り蓋部１８の後側に隣接して傾斜面４にボルト締結されている。
【００１６】
中央寄り蓋部１５及び側方寄り蓋部１８並びに左右の床面３の上方には、一人用の中央シート１０及び二人用の側方シートである右シート１１及び左シート１２が車両横幅方向に一列に設けられており、中央シート１０は、四本の足部１３を中央寄り蓋部１５にボルト１４により締結して固定され、右シート１１は、中央シート側の二本の足部１３を側方寄り蓋部１８にボルト１４により締結すると共に反中央シート側の二本の足部１３を右側の床面３にボルト１４により締結して固定され、左シート１２は、四本の足部１３を左側の床面３にボルト１４により締結して固定されている。
【００１７】
エンジンの中で頻繁に点検する必要があるインジェクションポンプ等を点検する場合には、図１に示すごとく中央寄り蓋部１５を床面３に固定するボルト９を外して中央シート１０ごと中央寄り蓋部１５を車両前方へ持ち上げて引き抜くことによって床面３から取り外し、頻繁に点検する場所である点検口５の一部を開口して点検者により確認する。又、エンジン全体を点検する場合には、同様に中央シート１０ごと中央寄り蓋部１５を取り外し、続いて右シート１１を取り除いた後、側方寄り蓋部１８及び後方蓋１７を取り外して点検口５の全面を開口し点検者により確認する。ここで、左シート１２は左側の床面３のみに固定されているので点検の際に取り外す必要がない。
【００１８】
このため、右シート１１を取り除くことなく、中央寄り蓋部１５を床面３から取り外すことが容易且つ短時間になり、頻繁に点検する場所の点検作業時間を短縮できる。
【００１９】
尚、本発明の車両床の点検蓋は、上述の図示例にのみ限定されるものではなく、本発明の要旨を逸脱しない範囲内において種々変更を加え得ることは勿論である。
【００２０】
【発明の効果】
以上、説明したように本発明の点検蓋によれば、側方シートを取り除くことなく中央シートを取り付けたまま中央寄り蓋部を持ち上げて引き抜くことができるので、中央寄り蓋部を床面から取り外すことが容易且つ短時間になり、中央寄り蓋部が頻繁に点検する場所の上方に位置している場合には、頻繁に点検する場所の点検作業時間を短縮できるという種々の優れた効果を奏し得る。
【図面の簡単な説明】
【図１】本発明の点検蓋の実施の形態の一例を示す概略斜視図である。
【図２】図１に示す点検蓋の平面図である。
【図３】図２のＩＩＩ−ＩＩＩ方向矢視図である。
【図４】  従来の点検蓋の一例を示す概略斜視図である。
【図５】従来の点検蓋において中央蓋部を取り除いた際の概略斜視図である。
【図６】図５に示す従来の点検蓋の平面図である。
【符号の説明】
２  車両前方
３  床面
５  点検口
１０  中央シート
１５  中央寄り蓋部
１６  前方蓋
１７  後方蓋
１８  側方寄り蓋部
【図１】
0003811294.tif 000002
【図２】
0003811294.tif 000003
【図３】
0003811294.tif 000004
【図４】
0003811294.tif 000005
【図５】
0003811294.tif 000006
【図６】
0003811294.tif 000007